(57)【要約】【課題】   従来の時間と忍耐を要する手刺繍や、高価な刺繍ミシンの購入などで、一般には気軽に手が届かない刺繍を、従来のミシンとミシン糸を用いた刺繍で布帛に装飾を施す。また、プリントと刺繍を合わせた作品なども布転写などを使用せず、両面接着芯を用い図柄をカットしアイロン熱接着した物で、簡易なプリント効果を出す。【解決方法】 一般家庭に普及しているミシンとミシン糸を使い、新しい形態の刺繍模様’ミシン刺繍’で、布帛の装飾を効率的に形成する。また、主にアプリケなどを接着する際に使われる両面接着芯を、布に接着して図柄を切り取る事により、刺繍の下絵にしたり、背景色としたり、刺繍布の地模様を描く際に使用することにより、一般に手軽且つ迅速に、更なる布帛の装飾を行う。【選択図】  図３
2007186814.tif 000002
【特許請求の範囲】
【請求項１】
簡易な波線などを縫うキルトの為に開発されたフリーモーションを、紙や布帛に直接描いた図柄に沿って縫い、色糸の濃淡や薄厚のバリエーションを付けながら色を付けることで、奥行きのある絵画のような図柄を実現する、新しい形態の刺繍。従来の刺繍とは違い、上糸の浮つきが少ないため、メンテナンスも容易である。色付けは、色糸を変えることに寄って行い、色は針を色鉛筆などの様に動かしながら色を塗る用法で、刺繍布を動かして行く。刺繍ミシンのように、デザインごとにデーターを入力する必要や、大きさの制限なく、自由な創作表現が可能となる。又、手刺繍のように時間や忍耐を必要としないので、迅速、容易且つ安価な生産が可能なミシン刺繍。
【請求項２】
ミシン刺繍を施した刺繍布の裏に両面接着芯を接着し、素材や色の違う布帛に接着することにより、刺繍の更なる立体感を出すことが可能であり、更に、異なる素材や色の布帛に於いて、図柄を切り取り接着することにより、地模様を描いたり背景色など着色の効果を出す事ができる。又、両面接着芯の紙が布を固定する役目をする事により、動き易い薄い布や、複雑な図柄をも的確に素早くカッターナイフなどで切り取る事が出来き、効率的な両面接着芯プリント。
【発明の詳細な説明】
【技術分野】
【０００１】
本発明は、本発明は、新しい刺繍形態のミシン刺繍に関し、ミシンと両面接着芯を用いて簡易に装飾を施す、布帛の装飾に関するものである。
【背景技術】
【０００２】
手刺繍や、データを入力して作成する刺繍ミシンがあるが、前者は時間や忍耐を要する為、生産性が低下していた。後者の場合は高価である為、家庭への普及率は少なく、又、各デザインにデーター購入が必要で、デザインの大きさに制限があるなどの問題点を有していた。
【０００３】
家庭で出来る布プリントとしてはアイロン転写シートがあるが、出来上りが布の風味を損ね、又、洗濯に弱い等という難点があった。
【発明の開示】
【発明が解決しようとする課題】
【０００４】
手刺繍や刺繍ミシンなどの従来の方法では、時間／労力／金銭の掛かることにより、余り一般に普及していない刺繍という装飾方法を、安価で迅速な方法で身近な存在にする。
【０００５】
プリント効果としては、アイロン転写では顔料を布の上に付ける為、ゴワ付き感が残り生地の風味を損ね、又、それは洗濯に弱い性質がある。
【課題を解決するための手段】
【０００６】
現在、一般家庭にあるミシンを使った新しい形態の刺繍を発明。元来、布帛を洋服等に仕立てるために使われる、直線縫いやジグザグ縫いを主に使用しながら、布帛に色を付け装飾する、「ミシン刺繍」を施すことで解決した。
【０００７】
キルトで波線などを縫う際に使われる「キルト押さえ」の装着と、送り歯を下に降ろす事により、フリーモーションと呼ばれる状態にミシンを設置する。その後、所望の絵柄に沿って縫って行き、図柄を直線縫いやジグザグ縫いによって、手で布帛を動かしながら、色糸を色鉛筆で塗る様に塗って行く。色糸の濃淡や薄厚を交換することにより、絵画のような立体感のある模様を形成する。
【０００８】
元来の刺繍に比べると、上糸の浮つきが少ないので光沢感にはやや欠けるが、その反面、課題に置いた「身近な存在にする」という点においては、洗濯や装着時に於ける刺繍のダメージが殆どないことにより、メンテナンスの難しさを解決した。
【０００９】
また、両面接着芯を用いたプリント効果でも、洗濯による顔料の喪失がなく、これも又メンテナンスを容易にする。
【発明の効果】
【００１０】
本発明のミシン刺繍は、従来の時間や忍耐を要する手刺繍に比べて、家庭用ミシンを使用する事により素早く手軽にできる。また、高級な刺繍ミシンを購入し、デザイン度に付属品を買い足すことなく、好きなデザインを大きさの規定なく自由自在に形成実現することが可能。更に、上糸と下糸を交互に縫うというミシンの特色により、上糸の浮きが少なく、洗濯などによって模様が崩れることがなく、メンテナンスに優れる。
【００１１】
又、ミシン刺繍を施した後、両面接着芯を用いるアイロン熱接着で、素材、色彩、及び、形態の異なる別の布帛に接着し、更なるデザインの奥行きを拡げることや、ミシンには耐えない薄弱な布帛に装着することも可能である。又、これまで図柄を切り取る事が困難であった薄い布帛や、複雑な図柄なども、接着芯が布を固定する役割をする為に、迅速且つ簡単に切り取ることが出来るようになった。
【００１２】
本発明の製造方法によれば、簡易、且つ安価な方法で新しい形態の刺繍付き装飾布帛を迅速に得ることが出来る。
【発明を実施するための最良の形態】
【００１３】
ミシン刺繍は、家庭用ミシンの送り歯を下に下げ、下がらないミシンの場合には送り歯にカバーを被せる。また、直線縫い押さえを取り外す。このままでも良いが、縫い針で手を怪我しないよう、キルト押さえを付けるとより安全である。
【００１４】
両面接着芯プリントは、まず裏面の紙に所望の図柄を描いた後、アイロンで布に接着し、その図柄をカッターナイフで切り取る。切り取った後、紙を外し、裏返しにして、別の布にアイロンで貼付ける。
【産業上の利用可能性】
【００１５】
大量生産で均一のデザインの物を買う時代は終わり、現在は個々の個性を求められる時代にある。それに伴い手工業の価値も見直される傾向にある。
【００１６】
この時代に代表されるセレクトショップなどに卸す小規模の企業などは、様々なデザインを安価且つ迅速に生産する必要がある。本発明のミシン刺繍や両面接着芯プリントを用いる刺繍装飾は、そのニーズに応えることが出来る。
【００１７】
また、家庭内に於ける創作にも、更にパーソナルタッチの入った作品を作ることが出来る。本発明は、手芸創作に現代感覚を取り入れ、創造の幅を広げられる発明である。
【図面の簡単な説明】
【００１８】
【図１】フリーモーションに設定する為、送り歯をドロップレバーにて下ろす図である。
【図２】フリーモーションに設定する為、キルト押さえを取り付ける図である。
【図３】本発明のミシン刺繍で、所望の図柄に沿って刺繍布を動かして色糸を縫う事に依り、絵画のような奥行きの効果を出す装飾の方法を表した図である。
【図４】(a)第一工程 - 両面接着芯を布にアイロン熱接着し、図柄をナイフで切り取る図である。(b)第二行程 - 接着芯を外した図柄をアイロン熱接着している図である。
【図５】従来の刺繍による刺繍の仕上りの写真である。
【図６】本発明のミシン刺繍による刺繍の仕上りの写真である。
【図７】従来の刺繍の上糸と下糸の状態を示したものである。
【図８】本発明のミシン刺繍による上糸と下糸の状態を示したものである。
【符号の説明】
【００１９】
１ドロップレバー
２キルト押さえ
３カッターナイフ
４上糸
５布
６下糸
【図１】
2007186814.tif 000003
【図２】
2007186814.tif 000004
【図３】
2007186814.tif 000005
【図４】
2007186814.tif 000006
【図７】
2007186814.tif 000007
【図８】
2007186814.tif 000008
【図５】
2007186814.tif 000009
【図６】
2007186814.tif 000010